(57)【特許請求の範囲】
【請求項１】
複数の送信サブシステム（１０５‐１．．．１０５‐ｎ）と、
前記送信サブシステム（１０５‐１．．．１０５‐ｎ）の少なくとも一つに連結される少なくとも一つのユーザ制御ユニット（ＵＣＵ）（１２０，１２０ａ，１２０ｂ‐１．．．１２０ｂ‐ｎ，１２０ｃ‐１．．．１２０ｃ‐ｎ，１２０‐１．．．１２０‐ｎ）を備えるシステムであって、
前記複数の送信サブシステム（１０５‐１．．．１０５‐ｎ）の各々は、複数の送信機と１つのマルチプレクサとを備え、前記複数の送信機の各々は、関連する光チャネル上で関連する光信号を送信し、前記マルチプレクサは前記関連する光信号を組み合わせて関連するユーザ特定集合光信号（１１３‐１．．．１１３‐ｎ）を送信するために構成され、
前記少なくとも一つのＵＣＵ（１２０，１２０ａ，１２０ｂ‐１．．．１２０ｂ‐ｎ，１２０ｃ‐１．．．１２０ｃ‐ｎ，１２０‐１．．．１２０‐ｎ）は、
前記送信サブシステム（１０５‐１．．．１０５‐ｎ）の前記少なくとも一つから前記ユーザ特定集合光信号（１１３‐１．．．１１３‐ｎ）の少なくとも一つを受信し、前記ユーザ特定集合光信号の前記少なくとも一つの内の少なくとも一部分を備える少なくとも一つの関連する集合出力信号を提供するように構成され、
前記ＵＣＵ（１２０，１２０ａ，１２０ｂ‐１．．．１２０ｂ‐ｎ，１２０ｃ‐１．．．１２０ｃ‐ｎ，１２０‐１．．．１２０‐ｎ）は、
少なくとも一つの所定のシステムポリシーを実施するために、前記少なくとも一つの関連する集合出力信号を動的に調整するように構成され、
前記少なくとも一つの所定のシステムポリシーは、前記送信サブシステム（１０５‐１．．．１０５‐ｎ）の前記少なくとも一つに関連付けられた所定のユーザ割り当て帯域幅で構成され、前記所定のユーザ割り当て帯域幅には複数の光チャネルが含まれており、
前記ＵＣＵ（１２０，１２０ａ，１２０ｂ‐１．．．１２０ｂ‐ｎ，１２０ｃ‐１．．．１２０ｃ‐ｎ，１２０‐１．．．１２０‐ｎ）は、前記少なくとも一つの関連する集合出力信号に前記所定のユーザ割り当て帯域幅の制限を課すことにより、前記少なくとも一つの関連する集合出力信号を調整する、システム。
【請求項２】
前記システムは、
前記複数の送信サブシステム（１０５‐１．．．１０５‐ｎ）の各々から前記関連するユーザ特定集合光信号の各々を受信するように構成される前記ＵＣＵ（１２０，１２０ａ）の内の一つ（ｓｉｎｇｌｅ  ｏｎｅ）を備え、
前記ＵＣＵ（１２０，１２０ａ）は、
前記ユーザ特定集合光信号の各々の少なくとも一部を備える前記関連する集合出力信号の一つ（ｓｉｎｇｌｅ  ｏｎｅ）を提供し、前記少なくとも一つの所定のシステムポリシーを実施するために、前記関連する集合出力信号の前記一つ（ｓａｉｄ  ｓｉｎｇｌｅ  ｏｎｅ）を動的に調整するように構成される、
請求項１に記載のシステム。
【請求項３】
前記システムは、
複数の前記ＵＣＵ（１２０，１２０ｂ‐１．．．１２０ｂ‐ｎ，１２０ｃ‐１．．．１２０ｃ‐ｎ，１２０‐１．．．１２０‐ｎ）を備え、
前記複数のＵＣＵ（１２０，１２０ｂ‐１．．．１２０ｂ‐ｎ，１２０ｃ‐１．．．１２０ｃ‐ｎ，１２０‐１．．．１２０‐ｎ）の各々は、
前記複数の送信サブシステム（１０５‐１．．．１０５‐ｎ）の内の関連する一つから前記ユーザ特定集合出力信号の関連する一つを受信するように構成され、
前記複数のＵＣＵ（１２０，１２０ｂ‐１．．．１２０ｂ‐ｎ，１２０ｃ‐１．．．１２０ｃ‐ｎ，１２０‐１．．．１２０‐ｎ）の各々は、
受信された前記ユーザ特定集合光信号の少なくとも一部を備える一つの関連する集合出力信号を提供するように構成され、
前記複数のＵＣＵ（１２０，１２０ｂ‐１．．．１２０ｂ‐ｎ，１２０ｃ‐１．．．１２０ｃ‐ｎ，１２０‐１．．．１２０‐ｎ）の各々は、前記少なくとも一つの所定のシステムポリシーを実施するために、前記関連する集合出力信号を動的に調整するように構成される、
請求項１に記載のシステム。
【請求項４】
前記少なくとも一つのＵＣＵ（１２０，１２０ａ，１２０ｂ‐１．．．１２０ｂ‐ｎ，１２０ｃ‐１．．．１２０ｃ‐ｎ，１２０‐１．．．１２０‐ｎ）は、
少なくとも一つの送信光フィルタ構成要素（２２０，２２０ａ）とコントローラ（２０３，２０３ａ）を備え、
前記コントローラ（２０３，２０３ａ）は、
前記少なくとも一つの所定のシステムポリシーを実施するために、前記送信光フィルタ構成要素のフィルタスペクトルを動的に変更するために送信スペクトル制御信号を提供するように構成される、
請求項１に記載のシステム。
【請求項５】
前記コントローラ（２０３，２０３ａ）は、
少なくとも一つの関連する集合出力信号を受信するために連結される光チャネルモニタ（２０４，２０４ａ）の出力に応答して、前記送信スペクトル制御信号を提供するように構成される、
請求項１に記載のシステム。
【請求項６】
前記少なくとも一つのＵＣＵ（１２０，１２０ａ，１２０ｂ‐１．．．１２０ｂ‐ｎ，１２０ｃ‐１．．．１２０ｃ‐ｎ，１２０‐１．．．１２０‐ｎ）は、
少なくとも一つの可変光減衰器（２０５，２０５ａ）とコントローラ（２０３，２０３ａ）を備え、
前記コントローラ（２０３，２０３ａ）は、
前記少なくとも一つの所定のシステムポリシーを実施するために、前記可変光減衰器（２０５，２０５ａ）の減衰レベルを変更するための送信減衰スペクトル制御信号を提供するように構成される、
請求項１に記載のシステム。
【請求項７】
前記少なくとも一つのＵＣＵ（１２０ｃ‐１．．．１２０ｃ‐ｎ）は、
少なくとも一つの増幅器（４０８）とコントローラ（２０３ｂ）を備え、
前記コントローラ（２０３ｂ）は、
前記少なくとも一つの所定のシステムポリシーを実施するために、前記増幅器（４０８）の増幅レベルを変更するために送信増幅制御信号を提供するように構成される、
請求項１に記載のシステム。
【請求項８】
前記少なくとも一つのＵＣＵ（１２０ａ，１２０ｂ‐１．．．１２０ｂ‐ｎ）は、
少なくとも一つのローディング電力システム（２０８，２０８ａ）とコントローラ（２０３，２０３ａ）を備え、
前記コントローラ（２０３，２０３ａ）は、
前記少なくとも一つの所定のシステムポリシーを実施するために、ローディング電力を前記少なくとも一つのユーザ特定集合光信号へ追加するためのローディング電力制御信号を提供するように構成される、
請求項１に記載のシステム。
【請求項９】
前記少なくとも一つのＵＣＵ（１２０ｃ‐１．．．１２０ｃ‐ｎ）は、
入力増幅器（４６０）とコントローラ（２０３ｂ）を備え、
前記コントローラ（２０３ｂ）は、
前記少なくとも一つの所定のシステムポリシーを実施するために、ローディング電力を前記少なくとも一つのユーザ特定集合光信号に追加するための出力増幅器制御信号を提供するように構成される、
請求項１に記載のシステム。
【請求項１０】
前記システムは、
複数の受信サブシステム（１０７‐１．．．１０７‐ｎ）を更に備え、
前記少なくとも一つのＵＣＵ（１２２，１２０ａ，１２０ｂ‐１．．．１２０ｂ‐ｎ，１２０ｃ‐１．．．１２０ｃ‐ｎ，１２０‐１．．．１２０‐ｎ）は、
少なくとも一つのユーザ特定集合受信信号を受信し、前記ユーザ特定集合受信信号の少なくとも一部を備える少なくとも一つのユーザ特定集合解除光信号を前記受信サブシステムの少なくとも一つに提供するように構成され、
前記ＵＣＵ（１２２，１２０ａ，１２０ｂ‐１．．．１２０ｂ‐ｎ，１２０ｃ‐１．．．１２０ｃ‐ｎ，１２０‐１．．．１２０‐ｎ）は、
前記少なくとも一つの所定のシステムポリシーを実施するために、前記少なくとも一つのユーザ特定集合解除光信号を動的に調整するように構成される、
請求項１に記載のシステム。
【請求項１１】
前記少なくとも一つのＵＣＵ（１２０ａ，１２０ｂ‐１．．．１２０ｂ‐ｎ，１２０ｃ‐１．．．１２０ｃ‐ｎ）は、
少なくとも一つの受信光フィルタ構成要素（２２０，２２０ａ）とコントローラ（２０３，２０３ａ，２０３ｂ）を備え、
前記コントローラ（２０３，２０３ａ，２０３ｂ）は、
前記少なくとも一つの所定のシステムポリシーを実施するために、前記受信光フィルタ構成要素のフィルタスペクトルを動的に変更するための受信スペクトル制御信号を提供するように構成される、
請求項１０に記載のシステム。
【請求項１２】
前記コントローラ（２０３，２０３ａ，２０３ｂ）は、
少なくとも一つのユーザ特定集合受信信号を受信するために連結される光チャネルモニタ（２０４，２０４ａ）の出力に応答して、前記受信スペクトル制御信号を提供するように構成される、
請求項１１に記載のシステム。
【請求項１３】
システム帯域幅の複数の異なる部分を異なる関連するユーザに割り当てること、
結合送信信号に集合するために、前記異なる関連するユーザの各々に関連し、複数の光チャネルを含む信号をユーザ特定信号として複数のユーザ特定信号を受信すること、
前記ユーザ特定信号のために、少なくとも一つのシステムポリシーを確立すること、及び、
前記結合送信信号において前記システムポリシーを動的に実施することを備え、
前記少なくとも一つのシステムポリシーは、前記複数のユーザ特定信号のそれぞれを前記システム帯域幅の前記部分の内の関連する一つに制限することを含み、前記システム帯域幅の前記部分の内の関連する一つには複数の光チャネルが含まれている、方法。
【請求項１４】
前記方法は、
前記ユーザ特定信号における変化に応答して前記結合送信信号にローディング電力を動的に提供することを更に備える、
請求項１３に記載の方法。
【発明の詳細な説明】
【技術分野】
【０００１】
本願は、情報の光送信に関し、特にユーザ割り当て帯域幅を有する光通信システムにシステムポリシーを適用するためのシステム及び方法に関する。
【背景技術】
【０００２】
光ファイバ送信システムの送信容量を最大にするために、単一の光ファイバが、複数の光信号を波長分割多重システム（以降、ＷＤＭシステム）と呼ばれるもので搬送するのに使用されうる。複数の光信号は、多重化信号即ちＷＤＭ信号を形成するために多重化されることができ、複数の信号の各々は、別々のチャネルで多重化される。各チャネルは、例えば、国際電気通信連合（ＩＴＵ）によって確立されたチャネルプランに従って、規定された周波数グリッドを中心とする関連する波長にあることができる。システム上を送信されうる波長の範囲は、システム帯域幅として知られている。システムは、それらのシステム帯域幅を利用して望ましい変調フォーマット、チャネルプラン及びビットレートを有する望ましい数のチャネルを搬送する。
【０００３】
既で知られた構成においては、光システムのオーナーは、全ての必要な送信機器を所有し且つシステム上の規定された量の容量を顧客に販売することができる。例えば、そのオーナーは、そのシステムに関して規定されたビットレートとチャネルプランで規定された数のチャネルを販売することができる。そのような構成では、システムのオーナーは、例えば、システムチャネルプラン、チャネル電力、変調フォーマット、ビットレート等を含む、物理層の全ての態様を制御できる。
【発明の概要】
【発明が解決しようとする課題】
【０００４】
しかしながら、最近、システムのオーナーが、システム帯域幅の規定された部分を各顧客に販売するシステムに関心が持たれている。この構成では、各顧客は、システム帯域幅のその一部で信号を送信するために使用される機器のタイプと構成を含む物理層への部分的管理を有することになる。また、各顧客は、システムの帯域幅の一部内で特定の送信特性への制御を有することになる。例えば、異なる複数の顧客は、システム帯域幅の一部内で異なるチャネルプラン、変調フォーマット、ビットレート等を確立することができる。この全体にわたるシステム構成は、顧客の帯域幅内でのサービスの追加や除去や再構成に対する制御及び顧客の帯域幅の非占有部分へのローディングを管理するための制御を顧客に与えることになる。
【０００５】
そのようなシステムに関連する課題は、システムの顧客の部分内にて一人の顧客によって行われる物理層の変更が、他の顧客によって所有されるシステムの帯域幅の顧客の部分の送信性能に影響を及ぼし得ることである。例えば、一人の顧客は、他の顧客に影響を及ぼす顧客の割り当てられた帯域幅外のブロードバンドノイズを汚染された入力スペクトルに提供し得る。また、顧客は、いつでもチャネルを外す又は追加することができるので、残存しているチャネルのパス平均電力、ピーク電力及び光信号ノイズ比率（ＯＳＮＲ）における対応する変化が基本的に他の顧客のＱファクタ性能に影響を及ぼし得る。受信機側では、顧客の受信増幅器ゲインとＯＳＮＲが、他の顧客のデータの存在によって影響され得る。性能の問題に加えて、顧客が顧客の割り当てられた帯域幅外の信号を受信すると安全性の問題が生じ得る。
【図面の簡単な説明】
【０００６】
本発明は、ここで同様の参照番号が同様の部品を表す添付の図面を参照して例として記述される。
【０００７】
【図１Ａ】図１Ａは、本開示と一致する波長分割多重（ＷＤＭ）通信システムの一例示的実施形態の簡略なブロック図である。
【０００８】
【図１Ｂ】図１Ｂは、システム帯域幅の夫々の部分の異なるユーザへの割り当てを示す図１Ａに示すシステムに対するシステム帯域幅を図形的に示す。
【０００９】
【図２】図２は、本開示に一致する端末の一例示的実施形態の簡略なブロック図である。
【００１０】
【図３】図３は、本開示に一致する端末の他の一例示的実施形態の簡略なブロック図である。
【００１１】
【図４】図４は、開示に一致する端末の他の一例示的実施形態の簡略なブロック図である。
【００１２】
【図５】図５は、開示に一致する端末の他の一例示的実施形態の簡略なブロック図である。
【００１３】
【図６】図６は、本開示に一致する方法の一例を示すフローチャートである。
【発明を実施するための形態】
【００１４】
一般的に、本開示に一致するシステム及び方法において、システムの帯域幅の異なる部分が、複数のユーザの各々に割り当てられ、且つ一つ以上の事前決定されたシステムポリシールールが、システム送信端末やシステム受信端末で一つ以上のユーザ制御ユニットによりシステム帯域幅の各ユーザ割り当て部に実施される。ポリシールールは、例えば、波長の範囲をシステムの帯域幅の割り当てられた部分に制限することや、送信中にユーザが維持しなければならない光出力に対する範囲をシステムに設定することや、送信中に電力スペクトル密度やピーク電力を制限すること、を行い得る。他のポリシーは、ＯＳＮＲのような他の測度やビットエラーレート（ＢＥＲ）のような性能基準を制御することを含むことができる。これらのポリシーは、送信のために夫々のユーザ信号を受信し、システムポリシーを適用し、次に受信ステーションへの送信のために複数のユーザスペクトル割り当てを共通の光送信路に組み合わせる一つ以上のユーザ制御ユニットによって実施されることができる。加えて、ユーザ制御ユニット（単数又は複数）は、例えば、顧客の入力信号が無い或いは何らかの欠陥で劣化している場合、システム帯域幅のユーザ割り当て部の電力における変化に応答して送信された信号から光電力を追加又は除去するように構成されることができる。
【００１５】
本明細書で使用されるように、「ユーザ」は、システム帯域幅の一部が使用のために割り当てられたエンティティを指す。ユーザは、システムのオーナーの顧客であってもよい。システムオーナーは、また、ユーザであってもよい。一人のユーザに割り当てられるシステム帯域幅の一部は、本明細書では、「システム帯域幅のユーザ割り当て部」又は「ユーザ割り当て帯域幅」と呼ばれ得る。本明細書で何ら指定なしで送信端末又は受信端末として使用される用語「端末」は、送信信号や受信信号のために使用することができる端末を指す。用語「波長選択スイッチ」は、一つの出力から一つ以上の出力へある量の光帯域幅を切り替えるように構成される一つのデバイス又は一セットのデバイスを指す。ＷＤＭシステムにおいて、チャネルは利用されても利用されなくてもよい。本明細書で使用されるように、「利用されたチャネル」は、信号を搬送する情報を含むチャネルを指し、「利用されなかったチャネル」は、信号を搬送する情報を含まないチャネルを指す。本明細書で使用される用語「連結された」は、あらゆる接続、連結、リンク等を指し、それによって、一つのシステム構成要素によって搬送される信号が「連結された」構成要素に伝達される。そのような「連結された」デバイス同士は、必ずしも互いに直接的に接続される必要はなく、そのような信号を操作する又は変更することができる中間のコンポーネント又はデバイスによって分離されていてもよい。
【００１６】
図１Ａは、本開示に一致するＷＤＭ通信システム１００の一例示的実施形態の簡略なブロック図である。図１Ｂは、システム帯域幅の異なる部分の異なるユーザへの割り当てを示す図１Ａに示されたシステムに対するシステム帯域幅を図形的に示している。
【００１７】
通信システム１００は、光路１０２を介して複数の光チャネルを送信端末１０４から一つ以上の遠隔地に配置された受信端末１０６に送信するのに用いられる。例示的なシステム１００は、例えば、５，０００キロメートル以上の距離にある受信機へ送信機からチャネルを送信するために構成される長距離海底システムであってもよい。当業者は、通信システム１００が、説明を簡単にするために、高度に簡略化されたポイントツーポイント一方向システムとして示されていることを理解する。例えば、送信端末１０４と受信端末１０６は、両方とも送受信機即ちトランスポンダとして構成されることができ、それによって、各々が送信機能と受信機能の両方を実行するように構成されることができる。しかしながら、説明を簡単にするために、これらの端末は、送信機能又は受信機能のみに関して図１に示され且つ記述される。送信端末と受信端末は、図１Ａには示されていない機器を含むことができる。送信端末１０４は、例えば、追加の光ファイバ、導波路、光増幅器、光フィルタ、分散補償モジュール、及び光路に連結される、「波長接続機器」（ＷＴＥ）と呼ばれる能動及び受動光学コンポーネントを含んでいてもよい。従って、ここに示された例示的実施形態は、制限するものではなく例としてのみ提供される。
【００１８】
図１Ｂに示すように、全体のシステム帯域幅は、短波長λＳから長波長λＬまで延在し得る。このシステム帯域幅の異なる部分は、ユーザが異なるユーザのユーザ割り当て帯域幅の何らかの部分を含むユーザ割り当て帯域幅を有さないように、異なるユーザに割り当てられることができる。図示された実施形態では、例えば、λ１とλ２との間の光帯域幅は、ユーザ１に割り当てられ、λ２とλ３との間の帯域幅は、ユーザ２に割り当てられ、且つλｎとλｎ＋１の帯域幅は、ユーザｎに割り当てられている。本開示に一致するシステムにおいて、システム帯域幅の異なる部分は、任意の数ｎのユーザに割り当てられることができ、それらのユーザは、例えば、一つの連続するバンド又は複数の非連続バンドの形態で、同じ又は異なる量の割り当て帯域幅を有することができる。
【００１９】
各ユーザは、そのユーザ割り当て帯域幅内に光チャネルを確立することができる。図示された例示的実施形態では、送信端末１０４は、各ユーザに関連する別個の送信サブシステム１０５‐１．．‐１０５‐ｎを含む。サブシステム１０５‐１．．‐１０５‐ｎの各々は、対応するユーザ割り当て帯域幅内でチャネルとローディング電力を発生し、これらのチャネルとローディング電力を占有スペクトルの関連する帯域に集める。
【００２０】
説明を簡略にするために、ユーザ１に関連する送信サブシステム１０５‐１のみが図１Ａにおいて詳細に示され、その他の送信サブシステム、例えば、１０５‐ｎは、同じ又は異なる構成を有するように構成されてもよいことが理解されるべきである。図示された実施形態では、送信サブシステム１０５‐１は、夫々のデータパス１０８‐１．．‐１０８‐ｍ上のデータを受信し且つユーザ１と関連するユーザ割り当て帯域幅内で夫々の光キャリア波長λ１．．．λｍに関するデータを変調することによって夫々の光信号を送信する複数の送信機ＴＸ１．．．．ＴＸｍを含む。データは、種々の変調フォーマット及びデータレートを使用してチャネル波長λ１．．．λｍに関して変調することができる。送信機ＴＸ１．．．．ＴＸｍは、説明を容易にするために高度に簡略化された形態で示される。各送信機ＴＸ１．．．．ＴＸｍは、望ましい振幅と変調を有するその関連する波長で光信号を送信するために構成される電気コンポーネント及び光コンポーネントを含むことができる。
【００２１】
送信サブシステム１０５‐１は、また、ローディング電力を発生して一つ以上のユーザ制御ユニット（ＵＣＵ）１２０に到達する信号の全電力を制御するためのローディング機器１０９を含むことができる。ローディング機器１０９ための種々の構成は既でに知られている。ローディング機器１０９によって提供されるローディング電力は、自然放出光（ＡＳＥ）雑音、チャネル化（スライスされた）ＡＳＥ又は連続波トーンのブロックであり得る。ローディングのための追加の光電力は、全電力、電力スペクトル密度、及びピーク電力への制限に関連するポリシーを満足するためにユーザ割り当て帯域幅内で必要とされ得る。
【００２２】
送信されたチャネル波長λ１．．λｍは、夫々、チャネル波長λ１．．λｍとローディング機器１０９からのローディング電力を組み合わせて光路１１３‐１上にユーザ特定集合光信号を形成するマルチプレクサ１１２に複数の光路１１０‐１．．．１１０−ｍを介して搬送される。一つ以上の追加のユーザのための送信サブシステム、例えば、システム１０５‐ｎは、他のユーザに関連する光路、例えば、光路１１３‐ｎ上にユーザ特定集合光信号を同様に生成できる。しかしながら、各ユーザは、その関連する送信サブシステム１０５‐１．．．１０５‐ｎの特定の構成を制御できる。従って、送信サブシステム１０５‐１．．．１０５‐ｎは、各ユーザに対して異なる送信特性を確立する異なるハードウェア構成を含むことができる。また、図示された例示的実施形態は、送信サブシステム１０５‐１．．．１０５‐ｎが送信端末１０４内に配置されていることを示しているが、これらの送信サブシステム１０５‐１．．．１０５‐ｎの内の一つ以上が送信端末１０４やＵＣＵ（単数又は複数）１２０から離れた物理的位置にあってもよい。
【００２３】
以下でより詳細に論じられるように、ＵＣＵ（単数又は複数）１２０は、各ユーザからのユーザ特定集合信号を組み合わせてシステムポリシーを実施する方法で光路１０２上に組み合わされた集合光信号を生成する。光路１０２上に送り出す組み合わされた集合光信号は、遠隔地の受信端末１０６で受信することができる。遠隔地の受信端末１０６は、一つ以上のＵＣＵ１２２とｎ人のユーザの各々に関連する別個の受信サブシステム１０７‐１．．．１０７‐ｎを含む。図示した実施形態では、ＵＣＵ（単数又は複数）１２２は、関連するポリシールール、例えば、安全性ポリシールールに基づいて、光路１０２で受信された組み合わされた集合光信号を個別のユーザ特定集合光信号に集合解除する。光路１１５‐１．．．１１５‐ｎは、夫々のユーザ特定集合光信号を受信サブシステム１０７‐１．．．１０７‐ｎの夫々に搬送する。
【００２４】
説明を容易にするために、ユーザ１に関連する受信サブシステム１０７‐１のみが図１Ａに詳細に示されており、その他の受信サブシステム、例えば、１０７‐ｎは、同じ構成を持つように又は異なる構成を持つように構成することができることは理解されるべきである。図示した例示的実施形態では、受信サブシステム１０７‐１は、関連するチャネル受信機ＲＸ１．．．ＲＸｍに連結される関連する光路１１６‐１．．．１１６−ｍにチャネル波長λ１．．．λｍで信号を提供するスプリッタ１１４を含む。スプリッタ１１４は、既知の構成を取ることができ、特定波長のものでもよいしそうでないものでもよい。受信機ＲＸ１．．．ＲＸｍは、分離されたチャネル上で光信号を復調し夫々の出力データパス１１８‐１．．．１１８−ｍ上に関連する出力データ信号を提供するように構成することができる。受信機ＲＸ１．．．ＲＸｍは、既知の構成ダイレクト検出又はコヒーレント受信機構成を取ることができ、説明を容易にするために高度に簡略化された形態で示される。各受信機ＲＸ１．．．ＲＸｍは、光信号を受信しその関連する波長λ１．．．λｍでその光信号を変調するために構成される電気コンポーネント及び光学コンポーネントを含むことができる。
【００２５】
一人以上の追加のユーザに対する受信サブシステム、例えば、１０７‐ｎは、出力データ信号を同様に生成することができる。しかしながら、各ユーザは、その関連した受信サブシステム１０７‐１．．．１０７‐ｎの特定の構成を制御することができる。従って、受信サブシステム１０７‐１．．．１０７‐ｎは、各ユーザに対して異なる受信機特性を確立する異なるハードウェア構成を含むことができる。また、図示した例示的実施形態は、受信サブシステム１０７‐１．．．１０７‐ｎが、受信端末１０６内に配置されていることを示しているが、受信サブシステム１０７‐１．．．１０７‐ｎの内の一つ以上が受信端末１０６やＵＣＵ（単数又は複数）１２２から分離した物理的位置にあってもよい。
【００２６】
受信サブシステム１０７‐１．．．１０７‐ｎの内の一つ以上は、また、受信サブシステム１０７‐１．．．１０７‐ｎの各々に連結される信号の内の一つ以上のＯＳＮＲ、ＢＥＲやＱファクタのような性能測定を報告するように構成することができ、この情報をＵＣＵ（単数又は複数）１２０やＵＣＵ（単数又は複数）１２２に提供することができる。ＵＣＵ（単数又は複数）１２０やＵＣＵ（単数又は複数）１２２は、システムポリシーが侵害されたか否かを判断するために、又はシステム送信特性が静的なままであるか否かを判断するために、又は何らかのシステムポリシー侵害を改善するために性能情報を使用することができる。
【００２７】
ここで図２を参照すると、本開示に一致する端末の例示的実施形態１０４ａが示されている。図示した例示的実施形態１０４ａは、双方向通信のために構成され、全てのユーザのユーザ割り当て帯域幅においてシステムポリシーを実施するための単一のＵＣＵ１２０ａを含む。ＵＣＵ１２０ａは、送信路２０１、コントローラ２０３、受信路２０５、ローディング電力システム２０８、光チャネルモニター（ＯＣＭ）２０４及び電力検出器２０７及び２１４‐１．．．２１４‐ｎを含む。ＯＣＭ２４は、既でに知られた構成を取ることができる。電力検出器２０７及び２１４‐１．．．２１４‐ｎは、既で知られたブロードバンド光学光検出器のような光電力を検出するための任意の既でに知られたデバイスであってよい。
【００２８】
ＵＣＵ１２０ａの送信路２０１は、送信光フィルタ要素（Ｔ‐ＯＦＥ）２０２、カプラ２１０と２１１及び可変光減衰器（ＶＯＡ）２０５を含む。受信路は、受信機光フィルタ要素（Ｒ−ＯＲＥ）２２０、カプラ２１５と２１３‐１．．．２１３‐ｎ、及びＶＯＡ２１２‐１．．．２１２‐ｎを含む。カプラ２１０，２１１，２１３‐１．．．２１３‐ｎ及び２１５及びＶＯＡ２０５及び２１２‐１．．．２１２‐ｎは、既でに知られた構成を取ることができる。
【００２９】
一般的に、送信サブシステム１０５‐１．．．１０５‐ｎの出力でのｎ個のユーザ特定集合光信号は、‐ｎ個の入力として、Ｔ‐ＯＦＥ２０２に連結され、ローディング電力システム２０８の出力は、他の一つの入力として、Ｔ‐ＯＦＥ２０２に連結される。Ｔ‐ＯＦＥ２０２は、送信サブシステム１０５‐１．．．１０５‐ｎとローディング電力システム２０８の出力を集めて集合信号を提供する。集合信号は、ＶＯＡ２０５及びカプラ２１０と２１１を介して連結され、光路１０２（図１Ａ）に連結されたパス上に集合共通送信信号２５０を提供する。カプラ２１０は、Ｔ‐ＯＦＥ２０２の出力で集合信号の一部をＯＣＭ２０４に連結する。カプラ２１１は、Ｔ‐ＯＦＥ２０２の出力で集合信号の一部を電力検出器２０７に連結する。
【００３０】
ＵＣＵ１２０ａの受信路２０５は、光路１０２からパス２５１上の集合共通受信信号を受信する。Ｒ−ＯＦＥ２２０は、パス２５１上に提供される集合信号を集合解除し、関連する集合が解除された信号を提供する。集合が解除された信号は、ＶＯＡ２１２‐１．．．２１２‐ｎ及びカプラ２１３‐１．．．２１３‐ｎの内の関連するものを介して受信サブシステム１０７‐１．．‐１０７‐ｎの関連するものに連結される。カプラ２１３‐１．．．２１３‐ｎの各々は、ＲＯＦＥ２２０の出力で集合解除された信号の一部を電力検出器２１４‐１．．．２１４‐ｎの関連するものへ連結する。カプラ２１５は、集合共通受信信号の一部をＯＣＭ２０４に連結する。
【００３１】
Ｔ‐ＯＦＥ２０２とＲ‐ＯＦＥ２２０は、種々の構成で設けることができ、各々は、一つ以上の光フィルタリングデバイスを含むことができる。Ｔ‐ＯＦＥ２０２とＲ‐ＯＦＥ２２０のフィルタリングデバイスは、その出力での光信号を各ユーザのユーザ割り当て帯域幅に制限する。Ｔ‐ＯＦＥ２０２とＲ‐ＯＦＥ２２０の波長フィルタリングスペクトル形状と、Ｔ‐ＯＦＥ２０２とＲ‐ＯＦＥ２２０へ送信される光スペクトルやＴ‐ＯＦＥ２０２とＲ‐ＯＦＥ２２０から送信される光スペクトルの全電力又は電力スペクトル密度は、コントローラ２０３からの夫々の送信スペクトル制御出力及び受信スペクトル制御出力に応答してＴ‐ＯＦＥ２０２又はＲ‐ＯＦＥ２２０によって確立することができる。
【００３２】
Ｔ‐ＯＦＥ２０２とＲ−ＯＦＥ２２０の光フィルタリングデバイスは、固定光パスバンドで実施されることや例えば、一つ以上の波長選択スイッチ（ＷＳＳ）デバイス又は可変薄膜フィルタを使用して、再構成可能光フィルタリングデバイスで実施されることが可能である。ＷＳＳデバイスに基づく場合、Ｔ‐ＯＦＥ２０２とＲ−ＯＦＥ２２０は、各々が、例えば、ユーザ割り当てスペクトル全体に亘って利得平坦を用いる光周波数依存ベースで、それらの出力におけるスペクトルの個々の部分の電力レベルを制御するための一つ以上の減衰デバイスを含むこともできる。本明細書では、ＷＳＳに基づくアプローチが幾つかの他の実施形態に関連して述べられているが、ＷＳＳの機能性は、当業者に既でに知られた他の方法で実施されてもよい。例えば、アレイ導波路グレーティングやファイバブラッググレーティングは、それらの機能を実行するように構成することができ、減衰機能は、種々のタイプの減衰器の任意のもので実施することができる。
【００３３】
コントローラ２０３は、図２で点線によって示されるように、ＯＣＭ２０４、電力検出器２０７、電力検出器２１４‐１．．．２１４‐ｎからの出力に応答して制御出力をＴ‐ＯＦＥ２０２，Ｒ‐ＯＦＥ２２０、ＶＯＡ２０５やＶＯＡ２１２‐１．．．２１２ｎに提供する。ＯＣＭ２０４からコントローラ２０３への出力は、Ｔ−ＯＦＥ２０２の集合出力やＲ‐ＯＦＥ２２０の集合入力における全チャネル電力やチャネル当りの電力やチャネルの構成を示すことできる。電力検出器２０７の出力は、パス２５１上の集合出力信号における光電力の量を示すことができ、電力検出器２１４‐１．．．２１４‐ｎの出力の各々は、Ｒ‐ＯＦＥ２２０からの集合が解除された信号の関連するものにおける光電力の量を示すことができる。
【００３４】
ＯＣＭ２０４と電力検出器２０７の出力に応答して、コントローラは、送信スペクトル制御出力信号をＴ‐ＯＦＥ２０２に提供することや送信減衰制御信号をＶＯＡ２０５に提供することができる。送信スペクトル制御出力と送信減衰制御出力は、そのシステムに対して設定されたポリシーを動的に実施するために、Ｔ‐ＯＦＥ２０２とＶＯＡの出力を夫々制御するように構成される。Ｔ‐ＯＦＥ２０２への送信スペクトル制御出力は、例えば、各ユーザに対する夫々のユーザ割り当て帯域幅外のユーザのチャネル又は波長が、パス上の集合出力信号２５０へ連結されることを、Ｔ‐ＯＦＥ２０２の波長フィルタリングスペクトル形状の動的な調整によって、防止する。Ｔ‐ＯＦＥ２０２への送信スペクトル制御出力は、加えて、又は、代わりに、異なるユーザ割り当て帯域幅又はそれらの一部において電力を制御するために、Ｔ‐ＯＦＥ２０２の集合出力の異なる部分における電力レベルを変化するようにＴ‐ＯＦＥ２０２を動的に調整することができる。ＶＯＡへの送信減衰出力は、ＶＯＡ２０５により集合出力へ課せられる減衰の動的な調整によって、パスに提供される集合共通送信信号２５０における又は異なるユーザ割り当て帯域幅又はそれらの一部における全電力の調整を行うことができる。
【００３５】
同様に、ＯＣＭ２０４と電力検出器２１４‐１．．．２１４‐ｎの出力に応答して、コントローラ２０３は、受信スペクトル制御出力をＲ‐ＯＦＥ２２０に、且つ、一つ以上の受信減衰制御出力をＶＯＡ２１２‐１．．．２１２‐ｎに、提供することができる。受信スペクトル制御出力と受信減衰制御出力は、システムに対して設定されるポリシーを動的に実施して集合解除信号をシステムポリシーに一致する受信サブシステム１０７‐１．．．１０７‐ｎへ提供するためにＲ‐ＯＦＥ２２０とＶＯＡ２１２‐１．．．２１２‐ｎを夫々制御するように構成される。受信スペクトル制御出力は、例えば、Ｒ‐ＯＦＥ２２０の波長フィルタリングスペクトル形状の動的な調整によって、各ユーザに対する夫々のユーザ割り当て帯域幅外のユーザチャネル又は波長がＲ‐ＯＦＥの出力に連結されることを防止することができる。Ｒ‐ＯＦＥ２２０への受信スペクトル制御出力は、加えて、又は、代わりに、Ｒ‐ＯＦＥ２２０を動的に調整し、Ｒ‐ＯＦＥ２０２の集合解除出力の異なるものにおける電力レベルを変化させることができる。ＶＯＡ２１２‐１．．．２１２‐ｎに対する受信減衰出力は、ＶＯＡ２１２‐１．．．２１２‐ｎの各々によって課される減衰の動的な調整によって、集合解除信号の各々又はそれらの一部における全電力の調整を行うことができる。
【００３６】
コントローラ２０３は、加えて、又は、代わりに、ＯＣＭ２０４や電力検出器２０７の出力に応答してローディング電力システム２０８へローディング電力制御出力を提供することができる。コントローラ２０３からのローディング電力制御出力に応答して、ローディング電力システム２０８は、ローディング電力システム２０８からＴ‐ＯＦＥ２０２の入力へ提供されるローディング電力のスペクトルを再構成できる。ローディング電力システム２０８は、種々の構成で設けることができる。例えば、ローディング電力システム２０８は、一つのローディング電力源又は複数のローディング電力源、例えば、ＡＳＥ源を含むことができ、再構成可能光フィルタ、例えば、ＷＳＳデバイスを含むことができる。再構成可能ローディング電力源は、システムに対して設定される最小範囲のポリシーを満足しない、Ｔ‐ＯＦＥ２０２の集合出力におけるスペクトルの位置に対応するスペクトル位置におけるブロードバンドノイズ帯域を生成するように構成することができる。
【００３７】
システムポリシーは、コントローラ２０３、送信サブシステム１０５‐１．．．１０５‐ｎ及び受信サブシステム１０７‐１．．．１０７‐ｎとの双方向通信のために構成される構成要素管理システム（ＥＭＳ）２０６によってコントローラ２０３において確立及びプログラムすることができる。ＥＭＳ２０６は、また、既でに知られた方法でシステム１００（図１）内のネットワーク要素を監督し管理し、且つネットワーク管理システム（ＮＭＳ）と通信するように構成することができる。NＭＳは、幾つかのＥＭＳと通信することによって全体のシステムを管理するように構成することができる。ＥＭＳ２０６は、システム１００内の幾つかの他のＥＭＳ（図示せず）の一つであってもよく、関連するＮＭＳ（図示せず）と通信できる。これらの他のＥＭＳは、顧客の機器を制御できる。本開示と一致するシステムでは、例えば、コントローラ２０３は、例えば、ＯＣＭ２０４や電力検出器２０７又は２１４‐１．．．２１４‐ｎの出力に応答して、コントローラ２０３がシステムポリシールールの侵害を検出すると、ＥＭＳ２０６と通信することができる。それに応答して、システムは、例えば、コントローラ２０３がその侵害の動的な訂正を行うと共に、その侵害を示すＥＭＳ及びＮＭＳレベルで警告を発することができる。
【００３８】
有利なことに、本開示に一致するシステムは、ユーザ割り当て光帯域幅を含むシステムにおいてシステムポリシーを動的に実施することができる。例えば、システムは、各ユーザに対する夫々のユーザ割り当て帯域幅外のユーザチャネル又は波長が集合出力信号又は集合が解除された信号に連結されるのを防止できる。また、システムは、集合出力信号又は集合が解除された信号の任意の部分において、例えば、各ユーザ割り当て帯域幅において、全出力電力を動的に制御できる。
【００３９】
加えて、本開示に一致するシステムは、ネットワークにおける故障の結果として又はユーザによって、波長がユーザ割り当て帯域幅内で追加又は除去されると、ローディング電力における変化を動的に調整することができる。この特徴によって、ユーザによる動的なプロビジョニングが可能となる。例えば、図２に図示されているように、ＥＭＳ２０６は、送信サブシステム１０５‐１．．．１０５‐ｎと受信サブシステム１０７‐１．．．１０７‐ｎと通信するために構成することができる。一実施形態では、ＥＭＳ２０６は、各ユーザのユーザ割り当て帯域幅に対して多数の既でに知られた良好な構成を記憶することができる。既でに知られた良好な構成は、例えば、システム性能シミュレーションから導出されることができる。次に、ユーザは、その関連する送信サブシステム１０５‐１．．．１０５‐ｎを介して追加の容量を望むことを示すリクエストをＥＭＳ２０６へ送ることができる。次に、ＥＭＳ２０６は、どの波長が入手可能なものか及び適切な電力セッティングに関してユーザ送信サブシステム、例えば、１０５‐１と通信できる。次に、ＥＭＳ２０６は、送信サブシステム、例えば、１０５‐１と連携して、送信信号を送り込み且つ、例えば、既でに知られた良好な構成に基づいてローディング電力を調整することができる。容量を減少するためのリクエストは、同様に扱われることができる。
【００４０】
ＥＭＳ２０６は、加えて、又は、代わりに、受信サブシステム１０７‐１．．．１０７‐ｎで、性能測定、例えば、変調特性、エラー訂正性能、ＯＳＮＲ性能、データレート等からのフィードバックを使用して機能性を実行するように構成することができる。例えば、ユーザがチャネル間隔を減少するために送信サブシステム、例えば、１０５‐１を更新すると、ＥＭＳ２０６は、例えば、最適性能を確実にするために又は最小性能をセッティングするシステムポリシーを実施するために、関連する受信サブシステム、例えば、１０７‐１で、性能測定からのフィードバックを使用して、その新たな機器に対する最適な波長とチャネル電力を決定するように構成することができる。これを容易にするために、リンクを受信サブシステム１０７‐１．．．１０７‐ｎ間に確立することができ、ＥＭＳ２０６は、受信サブシステム１０７‐１．．．１０７‐ｎで行われる性能測定の共有を促進することができる。
【００４１】
本開示に一致するシステムは、加えて、又は、代わりに、システムにおける経年劣化を補償するために送信システム特性を監視し且つシステムポリシーを変更することができる。例えば、システムが経年劣化すると、リンクのスペクトル（ゲイン）形状が変化し得る。そうすると、送出された光電力ポリシーを調整して許容性能を維持することが有用であり得る。このシナリオでは、ＥＭＳ２０６は、顧客提供送信性能情報からのフィードバックを使用して、どのような電力調整が最適化された又は望ましい性能を達成するものであるかを決定することができる。また、ＥＭＳ２０６は、ＯＣＭを使用する受信スペクトル測定に基づいて他の測定基準を利用することができる。次に、システムは、Ｔ‐ＯＦＥ２０２における送信チャネル減衰を変化させることによって、又は、新たなポリシー送出値をユーザ送信機器に通信することによって、新たなポリシーを実施することができる。
【００４２】
本開示に一致するＵＣＵを含むシステムは、構成要素の異なる配置を有する種々の構成に設けることができる。例えば、図３は、本開示に一致する端末の他の一つの実施形態１０４ｂを示している。図示した実施形態では、ｎ人のユーザに関連する個別の送信サブシステム１０５‐１．．．１０５‐ｎと受信サブシステム１０７‐１．．．１０７‐ｎの各々は、全体のシステムに対してや関連するユーザに対して設定されるポリシーを実施するように構成される複数のＵＣＵ１２０ｂ‐１．．．１２０ｂ‐ｎの内の異なる一つと関連する。示されるように、個別の送信サブシステム１０５‐１．．．１０５‐ｎの各々からのユーザ特定集合送信光信号は、入力として、ユーザ特定ＵＣＵ１２０ｂ‐１．．．１２０ｂ‐ｎの関連するものに連結され、同様に、ユーザ特定ＵＣＵ１２０ｂ‐１．．．１２０ｂ‐ｎの各々のユーザ特定出力は、入力として、異なるユーザ特定受信サブシステム１０７‐１．．．１０７‐ｎに連結される。
【００４３】
ＵＣＵ１２０ｂ‐１．．．１２０ｂ‐ｎの各々は、‐ｎ個のポート結合器３２５に連結される。ＵＣＵ１２０ｂ‐１．．．１２０ｂ‐ｎの各々からの集合送信信号３５０‐１．．．３５０‐ｎは、結合器３２５によって結合され、光路１０２（図１）に提供されるべき共通集合送信信号２５０になる。共通集合受信信号２５１は、結合器３２５によって分割され、入力３５２‐１．．．３５２‐ｎとして、ＵＣＵ１２０ｂ‐１．．．１２０ｂ‐ｎに接続される。結合器３２５は、既でに知られた構成を取ることができ、波長選択的であってもなくてもよい。
【００４４】
図示された例示的実施形態では、説明を容易にするために、送信サブシステム１０５‐１と受信サブシステム１０７‐１に関連するＵＣＵ１２０ｂ‐１のみが詳細に示されており、その他のＵＣＵ、例えば、ＵＣＵ１２０ｂ‐ｎは、同じ又は異なる構成を有するように構成されてもよいことが理解されるべきである。ＵＣＵ１２０ｂ‐１の送信路３０１は、Ｔ‐ＯＦＥ２０２ａ、ＶＯＡ２０５及びカプラ２１０と２１１を含む。ＵＣＵ１２０ｂ‐１の受信路３０５は、Ｒ‐ＯＦＥ２２０ａ、ＶＯＡ２１２及びカプラ２１３と２１５を含む。また、ＵＣＵ１２０ｂ‐１は、電力検出器２０７と２１４、ＯＣＭ２０４ａ、ローディング電力システム２０８及びＥＭＳ２０６とインターフェースするコントローラ２０３ａを含む。また、送信サブシステム１０５‐１と受信サブシステム１０７‐１は、例えば、上述された動的プロビジョニングやシステムの経年劣化の調整を容易にするために、ＥＭＳ２０６とインターフェースするように構成される。
【００４５】
ＵＣＵ１２０ｂ‐１における構成要素の機能は、図２に示されるＵＣＵ１２０ａに示される構成要素と同じであっても良い。しかしながら、図３の実施形態では、Ｔ‐ＯＦＥ２０２ａは、それに関連する送信サブシステム１０５‐１の出力とローディング電力システムの出力のみを集め、図３のＲ‐ＯＦＥ２２０ａは、受信サブシステム１０７‐１に関連するユーザ割り当て帯域幅を含む単一の出力を提供する。また、ＯＣＭ２０４ａは、送信及び受信サブシステム１０５‐１と１０７‐１に関連するユーザ割り当て帯域幅を検出するために構成することができる。
【００４６】
一般的に、各ＵＣＵ１２０ｂ‐１．．．１２０ｂ‐ｎにおけるコントローラ２０３ａは、ＯＣＭ２０４ａ、電力検出器２０７や電力検出器２１４からの出力に応答してシステムに対して設定されたポリシーを実施し且つ関連するユーザをそのユーザ割り当て帯域幅に制限するために、制御出力をローディング電力システム２０８、Ｔ‐ＯＦＥ２０２ａ、ＶＯＡ２０５、Ｒ‐ＯＦＥ２２０ａやＶＯＡ２１２に提供するように構成される。波長（チャネル）とチャネル電力やＵＣＵ１２０ｂ‐１の集合出力３５０‐１へ通過した結合波長の全電力は、コントローラ２０３ａからの送信スペクトル制御出力に応答してＴ‐ＯＦＥ２０２ａによって確立することができる。チャネル電力や集合出力３５０‐１へ通過した結合波長の全電力は、加えて、又は代わりに、コントローラ２０３ａからの送信減衰制御出力に応答してＶＯＡ２０５によって確立することができる。同様に、波長（チャネル）とチャネル電力や受信サブシステム１０７‐１へ通過した結合波長の全電力は、コントローラ２０３ａからの受信スペクトル制御出力に応答してＲ‐ＯＦＥ２２０ａによって確立することができる。チャネル電力や送信サブシステム１０７‐１へ通過した結合波長の全電力は、加えて、又は代わりに、コントローラ２０３ａからの受信減衰制御出力に応答してＶＯＡ２１２によって確立することができる。
【００４７】
図４は、本開示に一致する端末の他の一実施形態１０４ｃを図示している。図示した実施形態において、ｎ人のユーザに関連する個別の送信サブシステム１０５‐１．．．１０５‐ｎと受信サブシステム１０７‐１．．．１０７‐ｎの各々は、全体のシステムや関連するユーザのために設定されたポリシーを実施するように構成される複数のＵＣＵ１２０ｃ‐１，．．．１２０ｃ‐ｎの異なる一つに関連する。示されるように、個別の送信サブシステム１０５‐１．．．１０５‐ｎの各々からのユーザ特定集合送信光信号は、入力として、ユーザ特定ＵＣＵ１２０ｃ‐１，．．．１２０ｃ‐ｎの関連する一つに連結され、同様に、ＵＣＵ１２０ｃ‐１，．．．１２０ｃ‐ｎの各々のユーザ特定出力は、入力として、一つの異なるユーザ特定受信サブシステム１０７‐１．．．１０７‐ｎに連結される。
【００４８】
ＵＣＵ１２０ｃ‐１．．．１２０ｃ‐ｎの各々は、‐ｎ個のポート結合器３２５に連結される。ＵＣＵ１２０ｃ‐１．．．１２０ｃ‐ｎの各々からの集合送信信号３５０‐１．．．３５０‐ｎは、結合器３２５によって結合され、光路１０２（図１）上に提供されるべき共通集合送信信号２５０になる。共通集合受信信号２５１は、結合器３２５によって分割され、入力３５２‐１．．．３５２‐ｎとして、ＵＣＵ１２０ｃ‐１．．．．１２０ｃ‐ｎに接続される。
【００４９】
説明を簡潔にするために、送信サブシステム１０５‐１と受信サブシステム１０７‐１に関連するＵＣＵ１２０ｃ‐１のみが詳細に示され、その他のＵＣＵ、例えば、ＵＣＵ１２０ｃ‐ｎは、同じ又は異なる構成を有するように構成することができることは理解されるべきである。ＵＣＵ１２０ｃ‐１の送信路４０１は、Ｔ‐ＯＦＥ２０２ｂ、ＶＯＡ２０５、カプラ２１０と２１１及び増幅器４６０と４０８を含む。ＵＣＵ１２０ｃ‐１の受信路４０５は、Ｒ‐ＯＦＥ２２０ａ、ＶＯＡ２１２、カプラ２１３と２１５及び増幅器４７０を含む。また、ＵＣＵ１２０ｃ‐１は、電力検出器２０７と２１４、ＯＣＭ２０４ａ及びＥＭＳ２０６とインターフェースするコントローラ２０３ｂを含む。また、送信サブシステム１０５‐１と受信サブシステム１０７‐１は、例えば、上述のように、動的なポジショニングやシステムの経年劣化の調整を容易にするために、ＥＭＳ２０６とインターフェースするように構成される。
【００５０】
ＵＣＵ１２０ｃ‐１における構成要素の機能は、図３に示されるＵＣＵ１２０ａに示される構成要素の機能と同一であってよい。しかしながら、図４の実施形態において、ローディングシステム２０８は省略され、Ｔ‐ＯＦＥ２０２ｂは個別の入力を集めない。代わりに、送信サブシステム１０５‐１の出力は、増幅器４６０を介してＴ‐ＯＦＥ２０２ｂの入力に連結される。ノイズローディング機能は、増幅器４６０を操作してローディング電力を提供することによって図４の実施形態において提供される。
【００５１】
特に、上述のように、送信スペクトル制御出力と受信スペクトル制御出力を夫々Ｔ‐ＯＦＥ２０２ｂとＲ‐ＯＦＥ２２０ａに且つ夫々送信減衰制御出力と受信減衰制御出力を夫々ＶＯＡ２０５とＶＡ２１２に設けることに加えて、コントローラ２０３ｂは、ＯＣＭ２０４ａ、電力検出器２０７や電力検出器２１４からの出力に応答して、入力増幅器制御出力を増幅器４６０に、送信増幅器制御出力を増幅器４０８、及び受信減衰制御出力を増幅器４７０に提供するように構成される。増幅器４６０への入力増幅器制御出力は、増幅器４６０が、例えば、送信サブシステム１０５‐１に関連するユーザ割り当て帯域幅において一つ以上のユーザ信号が無い時に、十分なＡＳＥノイズを発生してシステム電力ポリシーを満足するように、増幅器に一定出力電力で即ち一定ポンプ出力モードで動作させる。それに加えて、又は代わりに、コントローラ２０３ｂは、集合送信信号３５０‐１が、システムポリシーと一致する、例えば、それが、他の一人のユーザの送信性能に影響を及ぼさないように、入力増幅器制御出力を増幅器４６０に及び送信増幅器制御出力を増幅器４０８に提供できる。コントローラ２０３ｂは、加えて、又は代わりに、受信サブシステム１０７‐１に対して提供される特定された信号振幅を維持するために、受信増幅器制御出力を受信路４０５の増幅器４７０に提供できる。
【００５２】
図５は、本開示に一致する送信制御システム１０４ｂの更に他の一実施形態を図示している。図示した実施形態において、ｎ人のユーザに関連する別個の送信サブシステム１０５‐１．．．１０５‐ｎと受信サブシステム１０７‐１．．．１０７‐ｎの各々は、全てのシステムや関連するユーザに対して設定されるポリシーを実施するように構成される複数のＵＣＵ１２０‐１，．．．１２０‐ｎの異なる一つと関連する。示されるように、別個の送信サブシステム１０５‐１．．．１０５‐ｎの各々からユーザ特定集合送信光信号は、入力として、ユーザ特定ＵＣＵ１２０‐１，．．．１２０‐ｎの関連する一つに連結され、同様にＵＣＵ１２０‐１，．．．１２０‐ｎの各々のユーザ特定出力は、入力として、一つの異なるユーザ特定受信サブシステム１０７‐１．．．１０７‐ｎに連結される。
【００５３】
ＵＣＵ１２０‐１．．．．１２０‐ｎの各々は、結合器３２５ａに連結される。ＵＣＵ１２０‐１．．．．１２０‐ｎの各々からの集合送信信号３５０‐１．．．３５０‐ｎとローディング電力システム２０８ａからの出力は、光路１０２（図１）に設けられるべき集合送信信号２５０を提供するために結合器３２５ａによって結合される。共通集合受信信号２５１は、結合器３２５ａによって分割され、入力３５２‐１．．．．．．３５２‐ｎとして、ＵＣＵ１２０‐１．．．．１２０‐ｎに結合される。
【００５４】
ＵＣＵ１２０‐１．．．．１２０‐ｎの内部構造は、簡略化のために示されない。ＵＣＵの各々は、例えば、図３又は図４に図示されているように、それに関連する各送信システム１０５‐１．．．１０５‐ｎと受信サブシステム１０７‐１．．．１０７‐ｎに対してシステムポリシーを実施するために、本開示と一致するように構成することができる。また、上述のように、送信サブシステム１０５‐１．．．１０５‐ｎと受信サブシステム１０７‐１．．．１０７‐ｎは、例えば、上述のように、動的なプロビジョニングやシステムの経年劣化の調整を容易にするために、ＥＭＳ２０６とインターフェースするように構成することができる。
【００５５】
ローディング電力システム２０８ａは、例えば、夫々の送信サブシステム１０５‐１．．．１０５‐ｎにおけるユーザやＵＣＵによって提供される、ＥＭＳ２０６から補充電力システム１０９（図１）へのローディング電力制御信号に応答して、補充ローディング電力を提供するように構成することができる。例えば、ユーザが、関連する送信サブシステム１０５‐１におけるローディング電力システム１０９（図１）を使用してローディング電力を提供すると、ローディング電力は、ローディング電力システム２０８（図２又は図３）や増幅器４６０（図４）を使用して補償される又は調整される。ＥＭＳ２０６からのローディング電力制御信号に応答して、図５のローディング電力システム２０８ａは、システムポリシーを満足するために必要な何らかの補充ローディング電力を提供できる。
【００５６】
図６は、本開示に一致する方法６００を示すフローチャートである。動作６０２は、システム帯域幅の複数の異なる部分を異なる関連するユーザに割り当てることを含む。異なる関連するユーザの各々に関連する複数のユーザ特定信号は、結合送信信号への集合のために受信される（６０４）。少なくとも一つのシステムポリシーがユーザ特定信号のために確立され（６０６）、且つシステムポリシーは、結合送信信号において動的に実施される（６０８）。システムポリシーは、例えば、ユーザ特定信号の各々をシステム帯域幅の夫々の部分の関連する部分へ制限することやユーザ特定信号に関連する電力レベルを制限することを行うことができる。図６に点線で示されているように、本方法６００は、任意ではあるが、ユーザ特定信号における変化に応答して結合送信信号にローディング電力６１０を動的に提供することを含むことができる。それらの変化は、例えば、チャネル割り当てにおける又はユーザ割り当て帯域幅内のローディングにおけるユーザ開始変化の結果としてやシステムの故障の結果として生じ得る。
【００５７】
図６は、一実施の形態に係る種々の動作を図示していているが、図６に示された動作の全てが他の実施形態のために必要ではないことが理解されるべきである。実際に、本開示の他の実施形態では、図６に示された動作や本明細書で記述された他の動作は、図面のいずれかに特には示されていない方法で結合することができるがなお十分に本開示と一致することが本明細書では十分に考えられる。このように、一つの図面には正確には示されていない特徴や動作に向けられる請求項は、本開示の範囲及び内容内に判断される。
【００５８】
本開示の一態様によれば、このように、複数の送信サブシステムであって、前記複数の送信サブシステムの各々が関連するユーザ特定集合光信号を送信するために構成されること、前記送信サブシステムの少なくとも一つに連結される少なくとも一つのユーザ制御ユニット（ＵＣＵ）であって、前記少なくとも一つのＵＣＵが前記送信サブシステムの前記少なくとも一つから前記ユーザ特定集合光信号の少なくとも一つを受信し且つ前記ユーザ特定集合光信号の前記少なくとも一つの内の少なくとも一つ部分を含む少なくとも一つの関連する集合出力信号を提供するように構成されること、前記ＵＣＵが少なくとも一つの所定のシステムポリシーを実施するために前記少なくとも一つの関連する集合出力信号を動的に調整するように構成されることを含むシステムが提供される。
【００５９】
本開示の他の一態様によれば、複数の送信サブシステムであって、前記複数の送信サブシステムの各々が異なるユーザ割り当て帯域幅において関連するユーザ特定集合光信号を送信するために構成されること、前記送信サブシステムの少なくとも一つに連結される少なくとも一つのユーザ制御ユニット（ＵＣＵ）であって、前記ＵＣＵは、前記送信サブシステムの前記少なくとも一つから前記ユーザ特定集合光信号の少なくとも一つを受信し且つ前記ユーザ特定集合光信号の前記少なくとも一つの内の少なくとも一部を含む関連する集合出力信号を提供するように構成される送信光フィルタ構成要素と、前記関連する集合出力信号を前記ユーザ特定集合光信号の前記少なくとも一つと関連する前記ユーザ割り当て帯域幅へ制限するために前記送信光フィルタ構成要素のフィルタスペクトルを動的に調整するために、前記送信光フィルタ構成要素に送信スペクトル制御出力を提供するように構成されるコントローラを含むことを含むシステムが提供される。
【００６０】
本開示の他の一態様によれば、システム帯域幅の複数の異なる部分を異なる関連するユーザに割り当てること、結合送信信号に集合するために前記異なる関連するユーザの各々に関連する複数のユーザ特定信号を受信すること、前記ユーザ特定信号に対して少なくとも一つのシステムポリシーを確立すること、及び、前記システムポリシーを前記結合送信信号に動的に実施することを含む方法が提供される。
【００６１】
本明細書で記述される方法の実施形態は、コントローラ２０３のような、プロセッサ、コントローラ、サーバや他のプログラム可能なデバイスを使用して実施することができる。そのため、本明細書で記述される方法は、一つ以上のプロセッサによって実行される時にそれらの方法を実行する命令を記憶した固定有形コンピュータ可読記憶媒体で実施することができる。このように、例えば、送信機や受信機は、本明細書で記述される動作を実行するために命令を記憶する（例えば、ファームウェア又はソフトウェアにおいて）記憶媒体（図示せず）を含むことができる。記憶媒体は、任意のタイプの固定有形媒体、例えば、フロッピー（登録商標）ディスク、光ディスク、コンパクトディスクリードオンリーメモリ（ＣＤ−ＲＯＭ）、コンパクトディスク書き換え可能（ＣＤ−ＲＷ）メモリ、及び光磁気ディスクを含む任意のタイプのディスク、リードオンリーメモリ（ＲＯＭ）、動的ＲＡＭ及び静的ＲＡＭのようなランダムアクセスメモリ（ＲＡＭ）、消去可能プログラマブルリードオンリーメモリ（ＥＰＲＯＭ）、電気的消去可能プログラマブルリードオンリーメモリ（ＥＥＰＲＯＭ）、フラッシュメモリのような半導体デバイス、磁気カード又は光カード、又は電子命令を記憶するのに適する任意のタイプの媒体を含むことができる。
【００６２】
本明細書におけるあらゆるブロック図は、本開示の原理を具体化する説明的な回路や光コンポーネントの概念図を表すことが当業者によって理解される。同様に、あらゆるフローチャート、流れ図、状態遷移図、疑似コード等は、コンピュータ可読媒体に実質的に表されることができ且つコンピュータ又はプロセッサが明示的に示されていようがいまいがそのようなコンピュータやプロセッサによって実行することができる種々のプロセスを表す。ソフトウェアモジュール、即ちソフトウェアであることが暗示される単純なモジュールは、本明細書では、フローチャート構成要素又は処理ステップやテキスト記述の性能を指す他の構成要素の任意の組合せとして表すことができる。そのようなモジュールは、明白に又は暗示的に示されるハードウェアによって実行することができる。
【００６３】
任意の機能ブロックを含む、図面に示された種々の構成要素の機能は、専用のハードウェア並びに適切なソフトウェアに関連するソフトウェアを実行できるハードウェアを介して提供され得る。プロセッサ、コントローラ又はサーバによって提供される場合、それらの機能は、単一の専用プロセッサによって、単一の共有プロセッサによって、又は幾つかは共有されていてもよい複数の個別のプロセッサによって提供されても良い。更に、用語「プロセッサ」、「コントローラ」、又は「サーバ」の明示的使用は、ソフトウェアを実行できるハードウェアをもっぱら指すと解釈されるべきではなく、制限なしで、デジタル信号プロセッサ（ＤＳＰ）ハードウェア、ネットワークプロセッサ、アプリケーション特定集積回路（ＡＳＩＣ）、フィールドプログラマブルゲートアレイ（ＦＰＧＡ）、ソフトウェアを記憶するためのリードオンリーメモリ（ＲＯＭ）、ランダムアクセスメモリ（ＲＡＭ）、及び非揮発性記憶装置を暗示的に含むことができる。また、他のハードウェア、従来のものやカスタムメイドのものも含むことができる。
【図１Ａ】
0006393312.tif 000002
【図１Ｂ】
0006393312.tif 000003
【図２】
0006393312.tif 000004
【図３】
0006393312.tif 000005
【図４】
0006393312.tif 000006
【図５】
0006393312.tif 000007
【図６】
0006393312.tif 000008